【手続補正書】
【提出日】平成19年2月2日(2007.2.2)
【手続補正１】
【補正対象書類名】明細書
【補正対象項目名】全文
【補正方法】変更
【補正の内容】
【発明の詳細な説明】
【発明の名称】記録及び／又は再生装置
【技術分野】
【０００１】
本発明は、記録媒体を保持する記録媒体トレイが装置本体に対して挿脱口から出し入れされ、記録媒体トレイに挿脱口を閉塞する蓋体が設けられた記録及び／又は再生装置に関する。
【背景技術】
【０００２】
光ディスクの記録及び／又は再生装置には、光ディスクを記録及び／又は再生部に搬送するディスクトレイを備えたものがある。この記録及び／又は再生装置では、装置本体の前面のフロントパネルに、ディスクトレイが出入りする挿脱口が形成され、この挿脱口は、ディスクトレイの前面部に取り付けられた蓋体によって閉塞されるようになっている。
【０００３】
ところで、蓋体が装置本体のフロントパネルの挿脱口を閉塞した状態において、蓋体と挿脱口との間には、０．５ｍｍ程度の隙間が形成されている。この隙間は、ディスクトレイやフロントパネルの取付誤差によって、ディスクトレイに取り付けられた蓋体が挿脱口に嵌合しなくなることを防止するために蓋体の面積を挿脱口の面積より小さく選定しているのである。
【０００４】
しかしながら、この挿脱口とディスクトレイに取り付けられた蓋体との間に形成される隙間は、目視可能な溝となって外観上現れることになり、装置本体の更なる見栄えの向上を図るに当たっての妨げとなる。
【０００５】
また、この隙間は、塵埃等の侵入孔ともなる。高密度に情報信号が記録される光ディスクにあっては、信号記録面に塵埃等が付着すると、正確に情報信号を記録したり読み出すことができなくなってしまうことがある。
【０００６】
【特許文献１】特開平１０−３１２６１６号公報
【発明の開示】
【発明が解決しようとする課題】
【０００７】
本発明は、以上のような問題点に鑑みてなされたものであり、その目的は、装置本体の表面において、ディスクトレイに取り付けられる蓋体とパネルの挿脱口との隙間を小さくし、見栄えを良くすることができる記録及び／又は再生装置を提供することにある。
【０００８】
また、本発明の目的は、ディスクトレイに取り付けられる蓋体とパネルの挿脱口との隙間を小さくし、装置本体内への塵埃等の侵入を防止することができる記録及び／又は再生装置を提供することにある。
【課題を解決するための手段】
【０００９】
本発明に係る記録及び／又は再生装置は、内部に記録媒体の記録及び／又は再生部が設けられた装置本体と、上記記録媒体を保持して上記装置本体の内外に移動する記録媒体トレイと、上記記録媒体トレイの挿脱口が設けられ、上記装置本体の一側面に配設されるパネルと、上記挿脱口に略嵌合して上記挿脱口を閉塞する蓋体と、上記記録媒体トレイと上記蓋体とを、上記蓋体が上記記録媒体トレイの前面部に対して移動可能に連結する弾性体とを備える。
【発明の効果】
【００１０】
本発明によれば、挿脱口を閉塞する蓋体は、記録媒体トレイの前面部に弾性体によって移動可能に連結され、蓋体が挿脱口を閉じるとき、挿脱口に呼び込まれて挿脱口を閉塞する。したがって、蓋体と挿脱口の間の隙間を小さくすることができ、内部に塵埃等を侵入しにくくし、また、外観の見栄えを向上させることができる。
【発明を実施するための最良の形態】
【００１１】
以下、本発明を適用した記録再生装置を図面を参照して説明する。
【００１２】
図１に示すように、本発明を適用した記録再生装置１は、光ディスク２を記録媒体に用いる据え置き型の装置であって、外筐を構成する略矩形の装置本体３を有する。この装置本体３には、前面に、操作面を構成するフロントパネル４が取り付けられる。このフロントパネル４には、光ディスク２を保持するディスクトレイ５の挿脱口６が形成されている。
【００１３】
フロントパネル４には、更に、挿脱口６の近傍に、装置本体３の電源釦７ａ、ディスクトレイ５のイジェクト釦７ｂ等の操作釦等で構成された操作部７が形成されている。
【００１４】
装置本体３のディスクトレイ５は、イジェクト釦７ｂが押されることによって、装置本体３に内蔵されたモータや複数のギヤで構成された移動操作機構によって、挿脱口６を介して装置本体３内外に移動される。このディスクトレイ５は、略矩形の板状をなすトレイ本体５ａを有し、このトレイ本体５ａの一方の主面には、光ディスク２と略同じ大きさで光ディスク２が回転可能な状態で保持されるディスク凹部５ｂが形成されている。ディスクトレイ５は、装置本体３に内蔵された移動操作機構によって、ディスク凹部５ｂの光ディスク２が交換できる程度にまで、装置本体３より突出され、また、装置本体３内に収納される。
【００１５】
装置本体３には、更に、装置本体３内の収納位置にあるディスクトレイ５の光ディスク２の記録再生を行うための記録再生部が設けられている。この記録再生部は、ディスクトレイ５が装置本体３内の収納位置にあるとき、ディスク凹部５ｂに載置されている光ディスク２を回転する回転駆動部を有する。この回転駆動部は、スピンドルモータの駆動軸に光ディスク２のセンタ孔２ａに係合するディスクテーブルを一体的に設けている。ディスクテーブルと対向する位置には、クランピングプレートが取り付けられており、光ディスク２は、ディスクテーブルがセンタ孔２ａに係合されると共に、ディスクテーブルとクランピングプレートとにより回転可能に挟持され、ディスクテーブルと一体的に回転する。
【００１６】
また、記録再生部には、ディスクテーブルに装着された光ディスク２の径方向に移動する光ピックアップが設けられている。この光ピックアップは、半導体レーザ、対物レンズ、受光素子等の光学部品を有し、半導体レーザから出射された光ビームを対物レンズで集光して光ディスク２の信号記録面に照射し、光ディスク２で反射した戻りの光ビームを受光素子で検出することによって、対物レンズのフォーカシング制御、トラッキング制御を行いながら光ディスク２に記録された情報信号の読み出しや光ディスク２に対して情報信号の記録を行う。この光ピックアップは、ステッピングモータや複数のギヤ等でなるスレッド機構によって、光ディスク２の記録再生に従って光ディスク２の径方向に移動される。
【００１７】
ディスクトレイ５の前面には、ディスクトレイ５が装置本体３の収納位置に収納されているとき、フロントパネル４の挿脱口６を閉塞する蓋体１１が取り付けられている。この蓋体１１は、上側及び下側が直線で、更に下側両コーナ部が略円弧をなすように形成されたフロントパネル４の挿脱口６の形状に対応して形成されている。蓋体１１は、挿脱口６に略嵌合されるものであるから、正確には、挿脱口６より僅かに小さく形成され、挿脱口６とこの挿脱口６に略嵌合される蓋体１１との間には、隙間８が形成される。この隙間８は、従来より狭いものとなっており、装置本体３の見栄えの悪化を防止し、また、装置本体３内の記録再生部に塵埃等の侵入を防止している。
【００１８】
蓋体１１は、図２に示すように、ベース部材１２を介してディスクトレイ５の前面部５ｃに取り付けられる。ベース部材１２は、ディスクトレイ５の前面部５ｃに一体的に固定され、蓋体１１とは、図３及び図４に示すように、コイルバネ等でなる弾性体１３を介して連結される。そこで、蓋体１１の裏面には、長手方向の両側に、弾性体１３の一端が係止される蓋側係止片１４，１４が形成されている。また、蓋側係止片１４，１４の内側には、互いに平行にガイド片１５，１５が形成されている。ガイド片１５，１５の先端側には、ベース部材１２に対する抜け止めとなる係合部１５ａ，１５ａが内側に突出して形成されている。更に、ガイド片１５，１５の内側には、長手方向に沿って、ベース部材１２の位置を規制する位置規制片１６が直線的に形成されている。また、位置規制片１６の下側には、ベース部材１２に対する蓋体１１の移動量を規制する規制ピン１８，１８が形成されている。更に、蓋体１１の裏面には、両端部に、フロントパネル４の挿脱口６の開口端両側に形成されたパネル側突き当て部３４，３４に突き当てられる蓋側突き当て部１７，１７が形成されている。更に、蓋体１１の裏面には、その下端に、蓋体１１が挿脱口６に略嵌合しているとき、下側にずれることを防止するストッパ１９，１９が形成されている。また、蓋体１１の外周面は、裏面側から表面側に向かって外側に傾斜する蓋側傾斜面２０が形成されている。この蓋側傾斜面２０は、挿脱口６に嵌合される際の挿脱口６へのガイド面となる。
【００１９】
以上のような蓋体１１が取り付けられるベース部材１２は、図３及び図４に示すように、蓋体１１との連結部分を上側から覆う覆板２１とこの覆板２１から立ち上がり形成された補強板２２とが形成されている。
【００２０】
覆板２１は、略矩形をなし、短辺である両側に側板２３，２３が形成されている。側板２３，２３の内側は、蓋体１１のガイド片１５，１５の挿入空間部２４，２４となっており、側板２３，２３と対向する位置には、ガイド片１５，１５の係合部１５ａ，１５ａが係合する係合孔２５，２５が形成されている。係合孔２５，２５は、蓋体１１がベース部材１２に対して近接離間する方向を長辺とする略矩形の貫通孔であり、蓋体１１は、ガイド片１５，１５の係合部１５ａ，１５ａが係合孔２５，２５内を移動する範囲でベース部材１２に対して近接離間する方向に移動する。
【００２１】
また、覆板２１には、蓋体１１と対向するように弾性体１３の他端が係止されるベース側係止片２６，２６が形成されている。弾性体１３は、例えばコイルバネであり、一端が蓋体１１側の蓋側係止片１４，１４に係止され、他端がベース側係止片２６，２６に係止されることによって、蓋体１１とベース部材１２とを連結する。挿入空間部２４，２４には、蓋体１１のガイド片１５，１５が挿入される他、弾性体１３も配される。覆板２１は、挿入空間部２４の上面を閉塞することで、ディスクトレイ５が装置本体３より排出したときにも、ガイド片１５，１５や弾性体１３が外側から視認されないようにする。なお、弾性体１３は、コイルバネの他に、ゴム等を用いても良い。
【００２２】
以上のような覆板２１に対して補強板２２は、略垂直に一体的に形成され、覆板２１の強度補強をしている。補強板２２には、蓋体１１の規制ピン１８，１８が挿入される規制孔２７，２７が形成されている。規制孔２７，２７は、蓋体１１の規制ピン１８，１８が挿入されることによって、蓋体１１の上下左右方向の移動量を規制する。また、補強板２２の先端部には、蓋体１１のストッパ１９，１９の逃げとなる凹部２８，２８が形成されている。
【００２３】
更に、覆板２１には、図３及び図４に示すように、ベース側係止片２６，２６に隣り合うようにしてディスクトレイ５の前面に係合される取付片２９，２９が形成されている。取付片２９，２９は、ディスクトレイ５の前面の両側に形成された係合凹部３１，３１に係合されることによって、ディスクトレイ５とベース部材１２とを一体的にする。補強板２２には、ディスクトレイ５の前面と対向する面に、ディスクトレイ５の前面に突き当てられる突き当て片３２，３２，３３が形成されている。また、突き当て片３２，３２の先端部には、係止突起３２ａ，３２ａが形成されている。係止突起３２ａ，３２ａは、ディスクトレイ５の前面に形成された凹部３２ｂ，３２ｂに係止されることによって、取付片２９，２９と共にベース部材１２のディスクトレイ５からの脱落を防止する。
【００２４】
ベース部材１２によってディスクトレイ５に取り付けられる蓋体１１が略嵌合されるフロントパネル４の挿脱口６は、図５に示すように、フロントパネル４のパネル面４ａに対して窪んだ凹部６ａを有し、この凹部６ａの底面に、ディスクトレイ５そのものが出入りする略矩形の挿通孔６ｂが形成されている。また、挿脱口６の長手方向の両側、具体的には、挿通孔６ｂの両側には、蓋体１１の裏面に形成された蓋側突き当て部１７，１７が突き当てられるパネル側突き当て部３４，３４が突出して形成されている。また、挿脱口６の下側の略中央にも、蓋体１１が突き当てられるパネル側突き当て部３５が突出して形成されている。
【００２５】
また、挿脱口６の凹部６ａの側面には、蓋体１１の蓋側傾斜面２０に対応したパネル側傾斜面３６が形成されている。このパネル側傾斜面３６は、蓋体１１が挿脱口６に略嵌合される際の挿脱口６へのガイド面となる。蓋側傾斜面２０やパネル側傾斜面３６の傾斜角は、例えば約３０°である。
【００２６】
次に、組立方法について説明すると、図３及び図６に示すように、先ず、蓋体１１とベース部材１２とが弾性体１３によって連結される。具体的に、弾性体１３の一端は、蓋体１１の蓋側係止片１４に係止され、他端は、ベース部材１２のベース側係止片２６に係止される。これと共に、蓋体１１のガイド片１５，１５は、ベース部材１２の挿入空間部２４に挿入され、係合部１５ａ，１５ａが係合孔２５，２５に係合される。更に、蓋体１１の規制ピン１８，１８は、ベース部材１２の規制孔２７，２７に挿入される。また、蓋体１１の位置規制片１６上には、ベース部材１２の覆板２１が重ね合わされる。これにより、蓋体１１は、位置規制片１６上にベース部材１２の覆板２１が重ね合わされて上側への移動が規制されると共に、ベース部材１２に対して規制ピン１８，１８が挿入された規制孔２７，２７の範囲内で上下左右方向に移動可能に取り付けられることになる。
【００２７】
蓋体１１が弾性体１３によって連結されたベース部材１２は、更に、ディスクトレイ５の前面部５ｃに取り付けられる。具体的に、ベース部材１２は、覆板２１に形成された取付片２９，２９をディスクトレイ５の前面部５ｃに形成された係合凹部３１，３１に係合させ、更に、突き当て片３２，３２の先端部には、係止突起３２ａ，３２ａをディスクトレイ５の前面に形成された凹部３２ｂ，３２ｂに係止させることによって、ディスクトレイ５の前面部に一体的に取り付けられる。
【００２８】
図６に示すように、ディスクトレイ５が装置本体３内の収納位置にあり、挿脱口６を蓋体１１が閉塞しているとき、ディスクトレイ５に一体的に取り付けられているベース部材１２は、一端が蓋体１１の蓋側係止片１４，１４に係止されている弾性体１３を、蓋体１１を挿脱口６に引き込む図６中矢印Ｄ方向に引っ張って伸長させ、蓋体１１の裏面とベース部材１２の覆板２１の端部とを離間させた状態とし、蓋体１１を挿脱口６に引き込むようにしている。したがって、蓋体１１は、蓋側突き当て部１７が挿脱口６のパネル側突き当て部３４，３４に圧接されると共に、下側略中央部をパネル側突き当て部３５に圧接され、挿脱口６に密着された状態にあり、挿脱口６と蓋体１１との間の隙間８より塵埃等が侵入しにくくなっている。なお、図６の蓋体１１が挿脱口６を閉塞した状態においては、弾性体１３が伸長していない通常状態であっても良い。
【００２９】
光ディスク２の交換等のためにイジェクト釦７ｂが押され、ディスクトレイ５を装置本体３に移動するとき、図７に示すように、ディスクトレイ５に一体的に取り付けられているベース部材１２は、弾性体１３の図７中反矢印Ｄ方向の収縮力によって蓋体１１の裏面とベース部材１２の覆板２１の端部とが近接した状態となり、この状態で、ディスクトレイ５は、装置本体３の外側に移動されることになる。
【００３０】
光ディスク２の交換等が終了すると、再度イジェクト釦７ｂが押されることによって、ディスクトレイ５は、装置本体３内に収納される。ここで、蓋体１１が挿脱口６に略嵌合される直前において、蓋体１１は、ディスクトレイ５の前面部と一体のベース部材１２と弾性体１３によって連結され、位置規制片１６上にベース部材１２の覆板２１が重ね合わされ上側への移動が規制された状態で、ベース部材１２に対して規制ピン１８，１８が挿入された規制孔２７，２７の範囲内で上下左右方向に移動可能である。そして、蓋体１１の外周面には、裏面側から表面側に向かって外側に傾斜する蓋側傾斜面２０が形成され、挿脱口６の凹部６ａの側面には、蓋体１１の蓋側傾斜面２０に対応したパネル側傾斜面３６が形成されている。したがって、蓋体１１が挿脱口６に対して位置がずれているときであっても、パネル側傾斜面３６に蓋側傾斜面２０に当接し、蓋体１１が挿脱口６に呼び込まれるようにして蓋体１１のベース部材１２に対する位置が修正されて、蓋体１１は、挿脱口６に略嵌合されることになる。
【００３１】
挿脱口６と蓋体１１との間に形成される隙間８は、従来より狭いものとなっているが、蓋体１１は、弾性体１３によってベース部材１２に対して移動可能であるから、蓋体１１、ディスクトレイ５、ベース部材１２等の取付誤差が大きく発生しているときであっても、ベース部材１２に対する位置が修正されて、確実に挿脱口６に略嵌合されることになる。そして、蓋体１１は、蓋側傾斜面２０及びパネル側傾斜面３６によって、より円滑に挿脱口６に嵌合されることになる。そして、以上のような記録再生装置１では、挿脱口６と蓋体１１との隙間８が狭いことから、装置本体３内に塵埃等が侵入することを防止することができると共に、外観の見栄えを良くすることができる。
【００３２】
次に、図８を参照して本発明の変形例を説明する。図８に示す例は、上述のようにベース部材１２を用いることなく、蓋体１１をディスクトレイ５に直接取り付けることを特徴とする。図８（Ａ）及び図８（Ｂ）に示すように、蓋体１１には、長手方向の両側に、互いに平行な一対の取付片４１，４１が形成され、取付片４１，４１間には、弾性体１３の一端を係止するための蓋側係止片４２が形成されている。一方、ディスクトレイ５の前面部には、蓋体１１の取付片４１，４１間に挿入される互いに平行な一対のガイド片４３，４３が形成され、ガイド片４３，４３間には、弾性体１３の他端が係止されるトレイ側係止片４４が形成されている。また、一方のガイド片４３には、係合部４５が形成され、一方の取付片４１の係合孔４６に係合される。これにより、蓋体１１は、ディスクトレイ５の前面部と弾性体１３により連結され、ガイド片４３の係合部４５が係合した係合孔４６の範囲内で移動可能な状態でディスクトレイ５の前面部に取り付けられることになる。
【００３３】
蓋体１１が挿脱口６を閉塞しているとき、図８（Ａ）に示すように、ディスクトレイ５は、一端が蓋体１１の蓋側係止片４２に係止されている弾性体１３を、蓋体１１を挿脱口６に引き込む図８（Ａ）中矢印Ｄ方向に引っ張って伸長させ、蓋体１１の裏面を挿脱口６に圧接した状態にあり挿脱口６と蓋体１１との間の隙間８より塵埃等が侵入しにくくなっている。
【００３４】
ディスクトレイ５が装置本体３より突出すると、図８（Ｂ）に示すように、弾性体１３の図７中反矢印Ｄ方向の収縮力によって蓋体１１の裏面とベース部材１２の覆板２１の端部とが近接した状態となる。この状態において、ディスクトレイ５の前面部に弾性体１３によって連結されて取り付けられている蓋体１１は、取付片４１，４１の間隔の範囲内及び係合部４５が係合した係合孔４６の範囲内で移動可能である。したがって、挿脱口６を閉塞するとき、弾性体１３によってディスクトレイ５の前面部と連結されている蓋体１１は、挿脱口６に対して位置がずれていたとしても、その位置が修正されて挿脱口６に略嵌合されることになる。
【００３５】
したがって、図８に示す例によっても、挿脱口６と蓋体１１との隙間８を狭くすることができ、これにより、装置本体３内に塵埃等が侵入することを防止することができると共に、外観の見栄えを良くすることができる。
【００３６】
なお、以上の例では、ディスクトレイ５に光ディスク２を載置させる場合を説明したが、ディスクトレイ５に載置する記録媒体としては、光ディスク２の他、光磁気ディスクや磁気ディスクであっても良く、更に、これらのディスクを収納したディスクカートリッジ、更にテープカートリッジであっても良い。
【図面の簡単な説明】
【００３７】
【図１】本発明を適用した記録再生装置の要部斜視図である。
【図２】蓋体がベース部材を介して取り付けられたディスクトレイを表面側から見た斜視図である。
【図３】蓋体、ベース部材、ディスクトレイを裏面側から見た分解斜視図である。
【図４】蓋体にベース部材が取り付けられた状態を、裏面側から見た斜視図である。
【図５】蓋体が略嵌合される挿脱口の斜視図である。
【図６】蓋体が挿脱口を閉塞した状態を示す断面図である。
【図７】蓋体が挿脱口を開いた状態を示す断面図である。
【図８】本発明の変形例であり、ディスクトレイが蓋体が直接取り付けられた状態を示す平面図であり、（Ａ）は、閉塞した状態、（Ｂ）は、開いた状態を示す。
【符号の説明】
【００３８】
１  記録再生装置、２  光ディスク、３  装置本体、４  フロントパネル、４ａ  パネル面、５  ディスクトレイ、５ａ  トレイ本体、５ｂ  ディスク凹部、５ｃ  前面部、６  挿脱口、６ａ  凹部、６ｂ  挿通孔、７ａ  イジェクト釦、８  隙間、１１  蓋体、１２  ベース部材、１３  弾性体、１４  蓋側係止片、１５  ガイド片、１５ａ  係合部、１６  位置規制片、１７  蓋側突き当て部、１８  規制ピン、１９  ストッパ、２０  蓋側傾斜面、２１  覆板、２２  補強板、２３  側板、２４  挿入空間部、２５  係合孔、２６  ベース側係止片、２７  規制孔、２８  凹部、２９  取付片、３１  係合凹部、３２  突き当て片、３２ａ  係止突起、３２ｂ  凹部、３３  突き当て片、３４，３５  パネル側突き当て部、３６  パネル側傾斜面
【手続補正２】
【補正対象書類名】図面
【補正対象項目名】図８
【補正方法】変更
【補正の内容】
【図８】
2006323928.tif 000001